(57)【要約】【課題】放送用信号をＣＡＵＩの伝送レートに合わせた１チャンネルのシリアル信号にて伝送する。【解決手段】放送用信号入力装置１の信号変換部１１は、７２本のＨＤ−ＳＤＩ信号により構成されたＳＨＶ信号を入力し、ＳＨＶ信号を、１系統あたり８チャンネルのＨＤ−ＳＤＩ信号（１チャンネルあたり１．４８５Ｇｂｐｓのレートを有する信号）に分け、系統毎に信号変換を行い、ＨＤ−ＳＤＩ信号から映像信号を抽出して所定のヘッダー信号を追加することにより、１チャンネルあたり１．２５Ｇｂｐｓの信号（１系統あたり８チャンネルで１０Ｇｂｐｓの信号）を生成し、ＣＡＵＩの伝送レート（１０Ｇｂｐｓ）に合わせた１チャンネルのシリアル信号を生成し、合計９系統（９チャンネル）のシリアル信号を出力する。光送受信モジュール１２は、９系統のシリアル信号を含む電気信号を光信号に変換して送信する。【選択図】図２
2012235423.tif 000002
【特許請求の範囲】
【請求項１】
放送用信号を入力し、前記放送用信号のクロックを変換し、シリアル信号を生成して送信する放送用信号入力装置において、
１チャンネルあたり１．４８５Ｇｂｐｓのレートを有するＨＤ−ＳＤＩ信号を入力し、前記ＨＤ−ＳＤＩ信号から、ＥＡＶ（End of Active Video）、ＳＡＶ（Start of Active Video）及び映像データの信号を抽出し、１．２４９３４４Ｇｂｐｓのレートを有する信号に変換し、８チャンネルの前記変換後の信号に所定長のデータを追加し、１０Ｇｂｐｓのレートを有するシリアル信号を生成する信号変換部、を備えたことを特徴とする放送用信号入力装置。
【請求項２】
請求項１に記載の放送用信号入力装置において、
さらに、光送受信モジュールを備え、
前記信号変換部は、
７２チャンネルのＨＤ−ＳＤＩ信号により構成された信号を入力し、前記７２チャンネルのＨＤ−ＳＤＩ信号を１系統あたり８チャンネルのＨＤ−ＳＤＩ信号に分け、１系統あたり１０Ｇｐｂｓのレートを有する９系統の信号を生成し、
前記光送受信モジュールは、
前記信号変換部により生成された９系統の信号を含む電気信号を１系統の光信号に変換し、前記光信号を送信する、ことを特徴とする放送用信号入力装置。
【請求項３】
請求項１または２に記載の放送用信号入力装置において、
前記信号変換部は、
ＨＤ−ＳＤＩ信号の代わりに、１チャンネルあたり２．９７Ｇｂｐｓのレートを有する３ＧＳＤＩ信号を入力し、４チャンネルの前記３ＧＳＤＩ信号を、１０Ｇｂｐｓのレートを有するシリアル信号に変換する、ことを特徴とする放送用信号入力装置。
【請求項４】
請求項１または２に記載の放送用信号入力装置により送信されたシリアル信号を受信し、前記シリアル信号のクロックを変換し、放送用信号を生成して出力する放送用信号出力装置であって、
前記受信したシリアル信号についての１０Ｇｂｐｓの信号に対し、前記所定長のデータを削除し、ＬＮ（Line Number）、ＣＲ（Cyclic Redundancy check）、水平ブランキング及び垂直ブランキングの信号を追加してレートを変換し、１チャンネルあたり１．４８５Ｇｂｐｓのレートを有する８チャンネルのＨＤ−ＳＤＩ信号を生成し、前記８チャンネルのＨＤ−ＳＤＩ信号を出力する信号変換部、を備えたことを特徴とする放送用信号出力装置。
【請求項５】
請求項４に記載の放送用信号出力装置において、
さらに、請求項２に記載の放送用信号入力装置により送信された光信号を受信し、前記光信号を、１系統あたり１０Ｇｂｐｓのレートを有する９系統の信号を含む電気信号に変換する光送受信モジュールを備え、
前記信号変換部は、
前記光送受信モジュールにより変換された電気信号に含まれる９系統の信号に対し、系統毎に、前記信号を８チャンネルのＨＤ−ＳＤＩ信号に変換し、７２チャンネルのＨＤ−ＳＤＩ信号により構成された信号を生成する、ことを特徴とする放送用信号出力装置。
【請求項６】
請求項３に記載の放送用信号入力装置により送信されたシリアル信号を受信し、前記シリアル信号のクロックを変換し、放送用信号を生成して出力する放送用信号出力装置であって、
前記受信したシリアル信号についての１０Ｇｂｐｓの信号に対し、前記所定長のデータを削除し、ＬＮ、ＣＲ、水平ブランキング及び垂直ブランキングの信号を追加してレートを変換し、１チャンネルあたり２．９７Ｇｂｐｓのレートを有する４チャンネルの３ＧＳＤＩ信号に変換し、前記４チャンネルの３ＧＳＤＩ信号を出力する信号変換部、を備えたことを特徴とする放送用信号出力装置。
【請求項７】
放送用信号を入力し、前記放送用信号のクロックを変換し、シリアル信号を生成して送信する放送用信号入力装置による放送用信号処理方法において、
１チャンネルあたり１．４８５Ｇｂｐｓのレートを有するＨＤ−ＳＤＩ信号を入力するステップと、
前記ＨＤ−ＳＤＩ信号からＥＡＶ、ＳＡＶ及び映像データの信号を抽出し、前記１チャンネルあたり１．４８５Ｇｂｐｓのレートを有するＨＤ−ＳＤＩ信号を、１．２４９３４４Ｇｂｐｓのレートを有する信号に変換するステップと、
１チャンネルあたり前記１．２４９３４４Ｇｂｐｓのレートを有する８チャンネルの信号に所定長のデータを追加し、１０Ｇｂｐｓのレートを有するシリアル信号に変換するステップと、
前記シリアル信号を送信するステップと、
を有することを特徴とする放送用信号処理方法。
【請求項８】
請求項７に記載の放送用処理方法により送信されたシリアル信号を受信し、前記シリアル信号のクロックを変換し、放送用信号を生成して出力する放送用信号出力装置による放送用信号処理方法において、
前記シリアル信号を受信するステップと、
１０Ｇｂｐｓのレートを有するシリアル信号から所定長のデータを削除し、１チャンネルあたり１．２４９３４４Ｇｂｐｓのレートを有する８チャンネルの信号に変換するステップと、
前記１チャンネルあたり１．２４９３４４Ｇｂｐｓのレートを有する８チャンネルの信号に、ＬＮ、ＣＲ、水平ブランキング及び垂直ブランキングの信号を追加し、１チャンネルあたり１．４８５Ｇｂｐｓのレートを有する８チャンネルのＨＤ−ＳＤＩ信号に変換するステップと、
１チャンネルあたり前記１．４８５Ｇｂｐｓのレートを有する８チャンネルのＨＤ−ＳＤＩ信号を出力するステップと、
を有することを特徴とする放送用信号処理方法。
【発明の詳細な説明】
【技術分野】
【０００１】
本発明は、多チャンネルの放送用信号を１チャンネルのシリアル信号にて伝送する放送用信号入力装置、出力装置及び処理方法に関する。
【背景技術】
【０００２】
次世代映像システムとして超高精細映像の開発が進んでいる。例えば、現行のＨＤ（High Definition：ハイビジョン）の４倍または１６倍の画素数を持つ放送方式であるＵＨＤＴＶ（Ultra High Definition Television：スーパーハイビジョン）規格が、ＳＭＰＴＥ（Society of Motion Picture and Television Engineers：米国映画テレビ技術者協会）及びＩＴＵ−Ｒ（International Telecommunication Union Radiocommunications sector：国際電気通信連合無線通信部門）で既に標準化されている。
【０００３】
ＳＨＶ（Super Hi-Vision：スーパーハイビジョン）は、ＵＨＤＴＶ規格のうち７６８０画素×４３２０ラインの超高精細映像フォーマットを採用している。ＳＨＶ信号を扱う際のインターフェイスの規格としてＨＤ−ＳＤＩ（High Definition-Serial Digital Interface）が用いられている（非特許文献１〜３を参照）。また、多チャンネルの信号をまとめて伝送する方式について、８チャンネルのＨＤ−ＳＤＩ信号または４チャンネルの３ＧＳＤＩ信号を１チャンネルのシリアル信号にて伝送する方式が、ＳＭＰＴＥ４３５−１，４３５−２にて規格化されている。
【０００４】
ところで、ＦＰＧＡ（Field Programmable Gate Array）を用いて、複数のＨＤ−ＳＤＩ信号を伝送する用途が増えてきている。また、通信の分野では１００Ｇｂｐｓを超えるイーサネット（登録商標）の開発が進んでおり、ＣＦＰトランシーバーモジュールでは、１０チャンネルの１０Ｇｂｐｓ信号を同時に送受信することができるユニットが開発されている（非特許文献４を参照）。
【先行技術文献】
【非特許文献】
【０００５】
【非特許文献１】ＩＴＵ勧告、ＩＴＵ−Ｒ  ＢＴ．１１２０、国際電気通信連合（ＩＴＵ）
【非特許文献２】米国映画テレビ技術者協会規格、ＳＭＰＴＥ  ２９２、米国映画テレビ技術者協会（ＳＭＰＴＥ）
【非特許文献３】ＡＲＩＢ規格、ＢＴＡ  Ｓ００４
【非特許文献４】CFP Multi-Source Agreement(MSA) 、［online］、［平成２３年４月１４日検索］、インターネット＜ＵＲＬ：http://www.cfp-msa.org/documents.html＞
【発明の概要】
【発明が解決しようとする課題】
【０００６】
しかしながら、ＳＭＰＴＥ４３５の規格では伝送レートが１０．６９２Ｇｂｐｓであり、通信分野で用いられているＣＡＵＩ（100G Attachment Unit Interface）の規格に準じた伝送レート（１０Ｇｂｐｓ）よりも高速となっており、ＳＭＰＴＥの規格における放送用信号を、通信分野におけるＣＡＵＩの伝送レートにて伝送することができない。また、８チャンネルのＨＤ−ＳＤＩ信号（１チャンネルあたり１．４８５Ｇｂｐｓのレートを有する信号、８チャンネルでは１１．８８Ｇｂｐｓ）または４チャンネルの３ＧＳＤＩ信号（１チャンネルあたり２．９７Ｇｂｐｓのレートを有する信号、４チャンネルでは１１．８８Ｇｂｐｓ）を１チャンネルのシリアル信号に変換して伝送する場合、通信分野におけるＣＡＵＩの伝送レートにて伝送することができない。これは、放送分野で用いられている放送用信号のレートと、通信分野で用いられているＣＡＵＩの信号のレートとが合致しないからである。
【０００７】
そこで、本発明は前記課題を解決するためになされたものであり、その目的は、放送用信号をＣＡＵＩの伝送レートに合わせた１チャンネルのシリアル信号にて伝送可能な放送用信号入力装置、出力装置及び処理方法を提供することにある。
【課題を解決するための手段】
【０００８】
前記目的を達成するために、本発明による請求項１の放送用信号入力装置は、放送用信号を入力し、前記放送用信号のクロックを変換し、シリアル信号を生成して送信する放送用信号入力装置において、１チャンネルあたり１．４８５Ｇｂｐｓのレートを有するＨＤ−ＳＤＩ信号を入力し、前記ＨＤ−ＳＤＩ信号から、ＥＡＶ（End of Active Video）、ＳＡＶ（Start of Active Video）及び映像データの信号を抽出し、１．２４９３４４Ｇｂｐｓのレートを有する信号に変換し、８チャンネルの前記変換後の信号に所定長のデータを追加し、１０Ｇｂｐｓのレートを有するシリアル信号を生成する信号変換部、を備えたことを特徴とする。
【０００９】
また、本発明による請求項２の放送用信号入力装置は、請求項１に記載の放送用信号入力装置において、さらに、光送受信モジュールを備え、前記信号変換部が、７２チャンネルのＨＤ−ＳＤＩ信号により構成された信号を入力し、前記７２チャンネルのＨＤ−ＳＤＩ信号を１系統あたり８チャンネルのＨＤ−ＳＤＩ信号に分け、１系統あたり１０Ｇｐｂｓのレートを有する９系統の信号を生成し、前記光送受信モジュールが、前記信号変換部により生成された９系統の信号を含む電気信号を１系統の光信号に変換し、前記光信号を送信する、ことを特徴とする。
【００１０】
また、本発明による請求項３の放送用信号入力装置は、請求項１または２に記載の放送用信号入力装置において、前記信号変換部が、ＨＤ−ＳＤＩ信号の代わりに、１チャンネルあたり２．９７Ｇｂｐｓのレートを有する３ＧＳＤＩ信号を入力し、４チャンネルの前記３ＧＳＤＩ信号を、１０Ｇｂｐｓのレートを有するシリアル信号に変換する、ことを特徴とする。
【００１１】
さらに、本発明による請求項４の放送用信号出力装置は、請求項１または２に記載の放送用信号入力装置により送信されたシリアル信号を受信し、前記シリアル信号のクロックを変換し、放送用信号を生成して出力する放送用信号出力装置であって、前記受信したシリアル信号についての１０Ｇｂｐｓの信号に対し、前記所定長のデータを削除し、ＬＮ（Line Number）、ＣＲ（Cyclic Redundancy check）、水平ブランキング及び垂直ブランキングの信号を追加してレートを変換し、１チャンネルあたり１．４８５Ｇｂｐｓのレートを有する８チャンネルのＨＤ−ＳＤＩ信号を生成し、前記８チャンネルのＨＤ−ＳＤＩ信号を出力する信号変換部、を備えたことを特徴とする。
【００１２】
また、本発明による請求項５の放送用信号出力装置は、請求項４に記載の放送用信号出力装置において、さらに、請求項２に記載の放送用信号入力装置により送信された光信号を受信し、前記光信号を、１系統あたり１０Ｇｂｐｓのレートを有する９系統の信号を含む電気信号に変換する光送受信モジュールを備え、前記信号変換部が、前記光送受信モジュールにより変換された電気信号に含まれる９系統の信号に対し、系統毎に、前記信号を８チャンネルのＨＤ−ＳＤＩ信号に変換し、７２チャンネルのＨＤ−ＳＤＩ信号により構成された信号を生成する、ことを特徴とする。
【００１３】
また、本発明による請求項６の放送用信号出力装置は、請求項３に記載の放送用信号入力装置により送信されたシリアル信号を受信し、前記シリアル信号のクロックを変換し、放送用信号を生成して出力する放送用信号出力装置であって、前記受信したシリアル信号についての１０Ｇｂｐｓの信号に対し、前記所定長のデータを削除し、ＬＮ、ＣＲ、水平ブランキング及び垂直ブランキングの信号を追加してレートを変換し、１チャンネルあたり２．９７Ｇｂｐｓのレートを有する４チャンネルの３ＧＳＤＩ信号に変換し、前記４チャンネルの３ＧＳＤＩ信号を出力する信号変換部、を備えたことを特徴とする。
【００１４】
さらに、本発明による請求項７の放送用信号処理方法は、放送用信号を入力し、前記放送用信号のクロックを変換し、シリアル信号を生成して送信する放送用信号入力装置による放送用信号処理方法において、１チャンネルあたり１．４８５Ｇｂｐｓのレートを有するＨＤ−ＳＤＩ信号を入力するステップと、前記ＨＤ−ＳＤＩ信号からＥＡＶ、ＳＡＶ及び映像データの信号を抽出し、前記１チャンネルあたり１．４８５Ｇｂｐｓのレートを有するＨＤ−ＳＤＩ信号を、１．２４９３４４Ｇｂｐｓのレートを有する信号に変換するステップと、１チャンネルあたり前記１．２４９３４４Ｇｂｐｓのレートを有する８チャンネルの信号に所定長のデータを追加し、１０Ｇｂｐｓのレートを有するシリアル信号に変換するステップと、前記シリアル信号を送信するステップと、を有することを特徴とする。
【００１５】
また、本発明による請求項８の放送用信号処理方法は、前記シリアル信号を受信し、前記シリアル信号のクロックを変換し、放送用信号を生成して出力する放送用信号出力装置による放送用信号処理方法において、前記シリアル信号を受信するステップと、１０Ｇｂｐｓのレートを有するシリアル信号から所定長のデータを削除し、１チャンネルあたり１．２４９３４４Ｇｂｐｓのレートを有する８チャンネルの信号に変換するステップと、前記１チャンネルあたり１．２４９３４４Ｇｂｐｓのレートを有する８チャンネルの信号に、ＬＮ、ＣＲ、水平ブランキング及び垂直ブランキングの信号を追加し、１チャンネルあたり１．４８５Ｇｂｐｓのレートを有する８チャンネルのＨＤ−ＳＤＩ信号に変換するステップと、１チャンネルあたり前記１．４８５Ｇｂｐｓのレートを有する８チャンネルのＨＤ−ＳＤＩ信号を出力するステップと、を有することを特徴とする。
【発明の効果】
【００１６】
以上のように、本発明によれば、放送用信号である８チャンネルのＨＤ−ＳＤＩ信号（１チャンネルあたり１．４８５Ｇｂｐｓのレートを有する信号）または４チャンネルの３ＧＳＤＩ信号（１チャンネルあたり２．９７Ｇｂｐｓのレートを有する信号）を、ＣＡＵＩの伝送レート（１０Ｇｂｐｓ）に合わせた１チャンネルのシリアル信号にて伝送することができる。これにより、通信分野において標準的に用いられている、１チャンネルあたり１０Ｇｂｐｓの信号を合計１０チャンネル伝送可能な高速インターフェイスであるＣＦＰのユニットを１台だけ用いることで、フルＳＨＶカメラ信号（７２チャンネルのＨＤ−ＳＤＩ信号または３６チャンネルの３ＧＳＤＩ信号）の伝送を実現することができる。また、フルＳＨＶカメラ信号を伝送するために、従来は９台の１０Ｇｂｐｓの光信号伝送ユニットが必要であったのに対し、本発明では１台のＣＦＰのユニットだけで済むから、装置全体で使用する電力量を減らすことができる。
【図面の簡単な説明】
【００１７】
【図１】本発明の実施形態による放送用信号入力装置及び放送用信号出力装置を含む全体システムの概略構成を示すブロック図である。
【図２】放送用信号入力装置における信号変換部の処理を説明する図である。
【図３】図２におけるステップＳ２０３の処理（映像信号抽出処理）を説明する図である。
【図４】図３における信号Ａの構成を示す図である。
【図５】図２のステップＳ２０３及び図３のステップＳ３０２において、１チャンネルのＨＤ−ＳＤＩ信号から抽出される信号を説明する図である。
【図６】図５の抽出信号を説明する図である。
【図７】放送用信号出力装置における信号変換部の処理を説明する図である。
【図８】図７におけるステップＳ６０３の処理（ＨＤ−ＳＤＩ信号生成処理）を説明する図である。
【図９】１チャンネルの３ＧＳＤＩ信号を２チャンネルのＨＤ−ＳＤＩ信号に変換する処理を説明する図である。
【発明を実施するための形態】
【００１８】
以下、本発明を実施するための形態について図面を用いて詳細に説明する。
〔全体システム〕
図１は、本発明の実施形態による放送用信号入力装置及び放送用信号出力装置を含む全体システムの概略構成を示すブロック図である。このシステムは、放送用信号入力装置１、放送用信号出力装置２及び光ファイバーケーブル３により構成され、放送用信号入力装置１及び放送用信号出力装置２は、光ファイバーケーブル３により接続される。尚、本願でいう放送用信号とは「放送を目的にした信号」の意味でなく、ハイビジョン映像伝送用のシリアルデジタルフォーマットを有する信号の意味で用いる。
【００１９】
放送用信号入力装置１は、信号変換部１１及び光送受信モジュール１２を備えており、放送用信号であるフルＳＨＶカメラ信号（以下、ＳＨＶ信号という。）を入力し、通信分野にて用いられるＣＡＵＩの伝送レートに合わせたシリアル信号に変換し、シリアル信号の電気信号を光信号に変換し、光信号として光ファイバーケーブル３を介して放送用信号出力装置２へ送信する。信号変換部１１は、例えばＦＰＧＡにより構成され、光送受信モジュール１２は、例えばＣＦＰのユニットにより構成される。
【００２０】
具体的には、放送用信号入力装置１の信号変換部１１は、７２本のＨＤ−ＳＤＩ信号により構成されたＳＨＶ信号を入力し、８本（８チャンネル）のＨＤ−ＳＤＩ信号（１チャンネルあたり１．４８５Ｇｂｐｓのレートを有する信号、８チャンネルあたり１１．８８Ｇｂｐｓのレートを有する信号）を１系統として、系統毎に信号変換を行い、ＣＡＵＩの伝送レート（１０Ｇｂｐｓ）に合わせた１チャンネル（１系統）のシリアル信号を生成し、合計９系統のシリアル信号を光送受信モジュール１２に出力する。信号変換部１１の処理の詳細については後述する。光送受信モジュール１２は、信号変換部１１から、１チャンネルあたり１０Ｇｂｐｓのレートを有する９チャンネル（９系統）のシリアル信号を入力し、９チャンネルのシリアル信号を含む電気信号を光信号に変換し、１本（１系統）の光信号として光ファイバーケーブル３を介して放送用信号出力装置２へ送信する。これにより、８チャンネルのＨＤ−ＳＤＩ信号が、ＣＡＵＩの伝送レートに合わせた１チャンネルのシリアル信号に変換される。
【００２１】
放送用信号出力装置２は、光送受信モジュール２１及び信号変換部２２を備えており、放送用信号入力装置１から光ファイバーケーブル３を介して送信された光信号を受信し、光信号を電気信号に変換し、通信分野にて用いられるＣＡＵＩの伝送レートに合わせたシリアル信号をＳＨＶ信号に変換し、放送用信号であるＳＨＶ信号を出力する。光送受信モジュール２１は、例えばＣＦＰのユニットにより構成され、信号変換部２２は、例えばＦＰＧＡにより構成される。
【００２２】
具体的には、放送用信号出力装置２の光送受信モジュール２１は、光信号を受信し、受信した１本（１系統）の光信号を電気信号に変換し、ＣＡＵＩの伝送レート（１０Ｇｂｐｓ）に合わせた９系統のシリアル信号を生成し、信号変換部２２に出力する。信号変換部２２は、光送受信モジュール２１から、１チャンネル（１系統）あたり１０Ｇｂｐｓのレートを有する９系統のシリアル信号を入力し、系統毎に信号変換を行い、１系統あたり８チャンネルのＨＤ−ＳＤＩ信号（１チャンネルあたり１．４８５Ｇｂｐｓのレートを有する信号、８チャンネルあたり１１．８８Ｇｂｐｓのレートを有する信号）を生成し、合計７２本のＨＤ−ＳＤＩ信号により構成されたＳＨＶ信号を出力する。信号変換部２２の処理の詳細については後述する。これにより、ＣＡＵＩの伝送レートに合わせた１チャンネルのシリアル信号が、８チャンネルのＨＤ−ＳＤＩ信号に変換される。
【００２３】
〔放送用信号入力装置の信号変換部〕
次に、図１に示した放送用信号入力装置１の信号変換部１１について詳細に説明する。図２は、信号変換部１１の処理を説明する図である。前述のとおり、放送用信号入力装置１の信号変換部１１は、７２本のＨＤ−ＳＤＩ信号により構成されたＳＨＶ信号を入力し、１系統あたり８チャンネルのＨＤ−ＳＤＩ信号に分け、系統毎に信号変換を行い、ＣＡＵＩの伝送レートに合わせた１チャンネルのシリアル信号を生成し、合計９系統のシリアル信号を出力する。以下、８チャンネルのＨＤ−ＳＤＩ信号を１チャンネル（１系統）のシリアル信号に変換する１系統の処理について説明する。
【００２４】
まず、信号変換部１１は、ＳＨＶ信号のうちの８チャンネルのＨＤ−ＳＤＩ信号（１チャンネルあたり１．４８５Ｇｂｐｓのレートを有する信号、８チャンネルあたり１１．８８Ｇｂｐｓのレートを有する信号）に対し、チャンネル毎に、ＨＤ−ＳＤＩ信号を２０ビットのパラレル信号に変換し、クロック７４．２５ＭＨｚの２０ビット×８チャンネルのパラレル信号を生成する（ステップＳ２０１）。ここで、１．４８５Ｇｂｐｓ×８チャンネル＝１１．８８Ｇｂｐｓのレートの信号は、１１．８８Ｇ＝７４．２５Ｍ×２０×８であるから、クロック７４．２５ＭＨｚを用いた場合、２０ビット×８チャンネルの信号に変換される。
【００２５】
信号変換部１１は、１チャンネルあたり２０ビットのパラレル信号について、８チャンネル全てのチャンネルラインを同期させるため、ＦＩＦＯ（First In First Out）ロジックを用いて、ＥＡＶ（End of Active Video：映像信号の終わりを示す同期信号）を揃える（ステップＳ２０２）。すなわち、信号変換部１１は、８チャンネルのパラレル信号のそれぞれをＦＩＦＯのメモリに格納し、格納したパラレル信号からＥＡＶを特定し、各チャンネルのＥＡＶをＦＩＦＯから同じタイミングで出力するように、各チャンネルのパラレル信号を遅延させ、この遅延処理の後に、ＦＩＦＯからＥＡＶが揃った８チャンネルのパラレル信号のそれぞれを同じタイミングで読み出す。読み出された信号は、ステップＳ２０１にて生成された信号と同様に、クロック７４．２５ＭＨｚの２０ビット×８チャンネルのパラレル信号である。
【００２６】
信号変換部１１は、ＥＡＶが揃った８チャンネルのパラレル信号から、所定の映像信号のみを抽出し、所定のヘッダー信号（所定長のデータ）を追加し、クロック６２．５ＭＨｚの１６０ビットのパラレル信号を生成する（ステップＳ２０３）。このステップＳ２０３の処理により、クロック７４．２５ＭＨｚの２０ビット×８チャンネルのＨＤ−ＳＤＩ信号（１チャンネルあたり１．４８５Ｇｂｐｓのレートを有する信号、８チャンネルあたり１１．８８Ｇｂｐｓのレートを有する信号）が、クロック６２．５ＭＨｚの１６０ビットのパラレル信号（１０Ｇｂｐｓのレートを有する信号）に変換される。つまり、放送用信号のレートが通信分野の信号のレートに変換される。
【００２７】
図３は、図２に示したステップＳ２０３の処理（映像信号抽出処理）について説明する図であり、クロック７４．２５ＭＨｚの２０ビット×８チャンネルのパラレル信号を、クロック６２．５ＭＨｚの１６０ビットのパラレル信号に変換する処理を示している。まず、信号変換部１１は、クロック７４．２５ＭＨｚの２０ビット×８チャンネルのパラレル信号を、クロック７４．２５ＭＨｚの１６０ビットのパラレル信号に変換する（ステップＳ３０１）。ここで、クロック７４．２５ＭＨｚの２０ビット×８チャンネルのパラレル信号は、７４．２５Ｍ×２０×８＝７４．２５Ｍ×１６０であるから、クロック７４．２５ＭＨｚを用いた場合、１６０ビットのパラレル信号に変換される。
【００２８】
信号変換部１１は、ステップＳ３０１にて変換されたクロック７４．２５ＭＨｚの１６０ビットのパラレル信号、及びクロック７４．２５ＭＨｚのヘッダー信号を用いて、１６０ビットのパラレル信号である８チャンネルのＨＤ−ＳＤＩ信号から所定の映像信号を抽出し、抽出した映像信号にヘッダー信号を追加し、ヘッダー信号及び映像信号（チャンネル毎の抽出信号、すなわち８チャンネルの抽出信号）からなる信号Ａを生成し、クロック６２．５ＭＨｚの１６０ビットのパラレル信号を出力する（ステップＳ３０２）。この１６０ビットのパラレル信号のレートは、１６０ビット×６２．５ＭＨｚ＝１０Ｇｂｐｓである。ヘッダー信号には、信号Ａの映像信号を特定するための識別情報が含まれる。
【００２９】
ここで、クロック７４．２５ＭＨｚの１６０ビットのパラレル信号におけるレートは１６０ビット×７４．２５ＭＨｚ＝１１．８８Ｇｂｐｓであり、ステップＳ３０２により、クロック６２．５ＭＨｚの１６０ビットのパラレル信号におけるレートである１６０ビット×６２．５ＭＨｚ＝１０Ｇｂｐｓに変換される。この１１．８８Ｇｂｐｓのレートは、ステップＳ３０１において、１チャンネルあたりのＨＤ−ＳＤＩ信号のレートである１．４８５Ｇｂｐｓ（１１．８８Ｇｂｐｓ／８チャンネル）に相当する。つまり、ステップＳ３０２により、放送系における８チャンネルのＨＤ−ＳＤＩ信号に対応した１１．８８Ｇｂｐｓ（１チャンネルあたり１．４８５Ｇｂｐｓ）のレートが、通信系における１チャンネルのＣＡＵＩ信号に対応した１０Ｇｂｐｓのレートに変換される。
【００３０】
図４は、図３に示したステップＳ３０２において生成される信号Ａの構成を示す図である。ステップＳ３０２により生成される信号Ａは、ヘッダー信号及びチャンネル毎の抽出信号（８チャンネルの抽出信号）から構成される。ヘッダー信号は、データ長を調整するために、所定長のデータからなる信号であり、チャンネル毎の抽出信号は、ステップＳ３０１において変換された１６０ビットのパラレル信号から抽出された所定の映像信号であり、信号Ａは全体で１０Ｇｂｐｓに相当する。つまり、信号変換部１１は、ステップＳ３０２において、信号Ａのデータレートが１０Ｇｂｐｓになるように、映像信号の抽出及び所定のヘッダー信号の追加を行い、クロック６２．５ＭＨｚの１６０ビットのパラレル信号を生成する。
【００３１】
図５は、図２に示したステップＳ２０３及び図３に示したステップＳ３０２において、１チャンネルのＨＤ−ＳＤＩ信号から抽出される所定の映像信号を説明する図である。図５において、縦軸はラインナンバーを示し、横軸はサンプルナンバーを示しており、１チャンネルのＨＤ−ＳＤＩ信号は、ラインナンバーが１から１１２５まで存在し、サンプルナンバーが０から１９１９まで及び１９２０から２１９９まで存在する。図５に示すように、１チャンネルのＨＤ−ＳＤＩ信号には、同期信号であるＥＡＶ、ＬＮ（Line Number：ラインナンバー（番号））、ＣＲ（Cyclic Redundancy check：エラー検出符号）、水平ブランキング、ＳＡＶ（Start of Active Video）、垂直ブランキング及び映像データ（アクティブ映像データ）の信号が含まれる。信号変換部１１は、ステップＳ３０２において、ライン数が映像データを含む１０８０ラインとなり、サンプル数が映像データにＥＡＶ及びＳＡＶを加えた１９２８サンプルとなるように、図５に示す１チャンネルのＨＤ−ＳＤＩ信号から、斜め線で示す箇所の所定の映像信号を抽出する。
【００３２】
図６は、図５に示した１チャンネルのＨＤ−ＳＤＩ信号から抽出された信号を説明する図である。信号変換部１１は、図５に示した１チャンネルのＨＤ−ＳＤＩ信号を構成する２２００サンプル・１１２５ラインから所定の信号を抽出することにより、図６に示すＥＡＶ、ＳＡＶ及び映像データ信号からなる抽出信号の１９２８サンプル・１０８０ラインを生成する。これにより、抽出信号のレートは、１．２４９３４４Ｇｂｐｓ（＝１９２８サンプル×１０８０ライン×２０ビット×３０フレーム毎秒）となる。この抽出信号にヘッダー信号が追加された信号Ａのレートは、図４に示したように、１０Ｇｂｐｓ（＝１．２４９３４４Ｇｂｐｓ×８チャンネル（９．９９４７５２Ｇｂｐｓ）＋所定の信号のレート）となる。つまり、信号Ａは、１チャンネルあたり１．２５Ｇｂｐｓのレートを有することになる。ここで、ＳＭＰＴＥ４３５−１，４３５−２では、垂直ブランキングの信号が抽出されるのに対し、本実施形態では、垂直ブランキングの信号は抽出されない。
【００３３】
図２に戻って、ステップＳ２０３において、８チャンネルのパラレル信号から所定の映像信号が抽出されヘッダー信号が追加されることで、クロック６２．５ＭＨｚの１６０ビットのパラレル信号が生成された後、信号変換部１１は、１６０ビットのパラレル信号における６２．５ＭＨｚのクロックを、ＣＡＵＩにて用いる１５６．２５ＭＨｚのクロックに変換して載せ替え処理を行い、クロック１５６．２５ＭＨｚの６４ビットのパラレル信号を生成する（ステップＳ２０４）。この載せ替え処理は、後述するステップＳ２０５において、ＣＡＵＩの伝送レート（１０Ｇｂｐｓ）に合わせたシリアル信号を生成するための前処理である。ここで、クロック６２．５ＭＨｚの１６０ビットのパラレル信号は、６２．５Ｍ×１６０＝１５６．２５Ｍ×６４であるから、クロック１５６．２５ＭＨｚを用いた場合、６４ビットのパラレル信号に変換される。
【００３４】
信号変換部１１は、クロック１５６．２５ＭＨｚの６４ビットのパラレル信号をシリアル信号に変換し、ＣＡＵＩの伝送レート（１０Ｇｂｐｓ）に合わせたシリアル信号として出力する（ステップＳ２０５）。ここで、１５６．２５ＭＨｚ×６４ビット＝１０Ｇｂｐｓであるから、レート１０Ｇｂｐｓを有するシリアル信号が生成される。
【００３５】
以上、８チャンネルのＨＤ−ＳＤＩ信号を１チャンネルのシリアル信号に変換する１系統の処理について説明したが、この処理は、全ての系統（９系統）に適用がある。
【００３６】
以上のように、図１に示した放送用信号入力装置１によれば、信号変換部１１が、７２本のＨＤ−ＳＤＩ信号により構成されたＳＨＶ信号に対し、１系統あたり８チャンネルのＨＤ−ＳＤＩ信号（１チャンネルあたり１．４８５Ｇｂｐｓのレートを有する信号、８チャンネルあたり１１．８８Ｇｂｐｓのレートを有する信号）に分け、ＨＤ−ＳＤＩ信号からＥＡＶ等の信号を抽出し所定のヘッダー信号を追加することで、系統毎に信号変換を行い、ＣＡＵＩの伝送レート（１０Ｇｂｐｓ）に合わせた１チャンネルのシリアル信号を生成し、合計９系統（９チャンネル）のシリアル信号を出力し、光送受信モジュール１２が、９系統のシリアル信号を含む電気信号を１系統の光信号に変換して送信するようにした。具体的には、信号変換部１１は、１系統あたり８チャンネルのＨＤ−ＳＤＩ信号毎に、クロック７４．２５ＭＨｚの２０ビット×８チャンネルのＨＤ−ＳＤＩ信号に対し、ＨＤ−ＳＤＩ信号からＥＡＶ、ＳＡＶ及び映像データの信号を抽出することでデータを減らし、所定のヘッダー信号を追加し、クロック６２．５ＭＨｚの１６０ビットのパラレル信号を生成するようにした。この場合、信号変換部１１は、１チャンネルのＨＤ−ＳＤＩ信号について、ＨＤ−ＳＤＩ信号からＥＡＶ、ＳＡＶ及び映像データの信号を抽出し、所定のヘッダー信号を追加することにより、１チャンネルあたり１．４８５ＧｂｐｓのＨＤ−ＳＤＩ信号を、１．２５Ｇｂｐｓの信号に変換するようにした。そして、信号変換部１１は、クロック６２．５ＭＨｚの１６０ビットのパラレル信号（８チャンネルあたり１０Ｇｂｐｓのレートを有する信号、１チャンネルあたり１．２５Ｇｂｐｓのレートを有する信号）を、クロック１５６．２５ＭＨｚの６４ビットのパラレル信号に変換し、６４ビットのパラレル信号を１０Ｇｂｐｓのシリアル信号に変換するようにした。
【００３７】
これにより、放送用信号である８チャンネルのＨＤ−ＳＤＩ信号（１チャンネルあたり１．４８５Ｇｂｐｓのレートを有する信号、８チャンネルあたり１１．８８Ｇｂｐｓのレートを有する信号）を、ＣＡＵＩの伝送レート（１０Ｇｂｐｓ）に合わせた１チャンネルのシリアル信号にて伝送することができる。したがって、通信分野において標準的に用いられている、１チャンネルあたり１０Ｇｂｐｓの信号を合計１０チャンネル伝送可能な高速インターフェイスであるＣＦＰのユニットを１台だけ用いることで、ＳＨＶ信号（７２チャンネルのＨＤ−ＳＤＩ信号）を伝送することができる。また、従来技術では、ＳＨＶ信号を伝送するために、９台の１０Ｇｂｐｓの光信号伝送ユニットが必要であったのに対し、本発明の実施形態では１台の光信号伝送ユニット（ＣＦＰ）を用いれば済むから、放送用信号入力装置１全体で使用する電力量を半減以下にすることができる。
【００３８】
〔放送用信号出力装置の信号変換部〕
次に、図１に示した放送用信号出力装置２の信号変換部２２について詳細に説明する。図７は、信号変換部２２の処理を説明する図である。前述のとおり、放送用信号出力装置２の信号変換部２２は、１チャンネル（１系統）あたり１０Ｇｂｐｓのレートを有する９系統のシリアル信号を入力し、系統毎に信号変換を行い、１系統あたり８チャンネルのＨＤ−ＳＤＩ信号（１チャンネルあたり１．４８５Ｇｂｐｓのレートを有する信号、８チャンネルあたり１１．８８Ｇｂｐｓのレートを有する信号）を生成し、合計７２本のＨＤ−ＳＤＩ信号により構成されたＳＨＶ信号を出力する。以下、１チャンネルのシリアル信号を８チャンネルのＨＤ−ＳＤＩ信号に変換する１系統の処理について説明する。
【００３９】
まず、信号変換部２２は、ＣＡＵＩの伝送レート（１０Ｇｂｐｓ）に合わせたシリアル信号を入力し、このシリアル信号を、クロック１５６．２５ＭＨｚの６４ビットのパラレル信号に変換する（ステップＳ６０１）。ここで、１５６．２５ＭＨｚ×６４ビット＝１０Ｇｂｐｓであるから、１０Ｇｂｐｓのレートを有するシリアル信号は、クロック１５６．２５ＭＨｚの６４ビットのパラレル信号に変換される。
【００４０】
信号変換部２２は、６４ビットのパラレル信号における１５６．２５ＭＨｚのクロックを、６２．５ＭＨｚのクロックに変換して載せ替え処理を行い、クロック６２．５ＭＨｚの１６０ビットのパラレル信号を生成する（ステップＳ６０２）。ここで、クロック１５６．２５ＭＨｚの６４ビットのパラレル信号は、１５６．２５Ｍ×６４＝６２．５Ｍ×１６０であるから、クロック６２．５ＭＨｚを用いた場合、１６０ビットのパラレル信号に変換される。
【００４１】
信号変換部２２は、クロック６２．５ＭＨｚの１６０ビットのパラレル信号から所定のヘッダー信号を削除し、ＬＮ、ＣＲ、水平ブランキング及び垂直ブランキングの信号を追加してＨＤ−ＳＤＩ信号を生成し、クロック７４．２５ＭＨｚの２０ビット×８チャンネルのパラレル信号を生成する（ステップＳ６０３）。このステップＳ６０３の処理により、クロック６２．５ＭＨｚの１６０ビットのパラレル信号（１０Ｇｂｐｓのレートを有する信号）が、クロック７４．２５ＭＨｚの２０ビット×８チャンネルのＨＤ−ＳＤＩ信号（１チャンネルあたり１．４８５Ｇｂｐｓのレートを有する信号、８チャンネルあたり１１．８８Ｇｂｐｓのレートを有する信号）に変換される。つまり、通信分野の信号のレートが放送用信号のレートに変換される。
【００４２】
図８は、図７に示したステップＳ６０３の処理（ＨＤ−ＳＤＩ信号生成処理）について説明する図であり、クロック６２．５ＭＨｚの１６０ビットのパラレル信号を、クロック７４．２５ＭＨｚの２０ビット×８チャンネルのパラレル信号に変換する処理を示している。まず、信号変換部２２は、クロック６２．５ＭＨｚの１６０ビットのパラレル信号である信号Ａ（図４を参照）から所定のヘッダー信号を削除し、ＬＮ、ＣＲ、水平ブランキング及び垂直ブランキングの信号を追加し、クロック７４．２５ＭＨｚの１６０ビットのパラレル信号を生成する（ステップＳ８０１）。具体的には、信号変換部２２は、ＬＮについて、１ラインにおける２サンプルに対しては同じ番号になるように、ライン毎に順番に番号を設定し、ＣＲ、水平ブランキング及び垂直ブランキングについて、０をそれぞれ設定する。これにより、図５に示したＨＤ−ＳＤＩ信号が８チャンネル分生成される。
【００４３】
ここで、クロック６２．５ＭＨｚの１６０ビットのパラレル信号におけるレートは１６０ビット×６２．５ＭＨｚ＝１０Ｇｂｐｓであり、ステップＳ８０１により、クロック７４．２５ＭＨｚの１６０ビットのパラレル信号におけるレートである１６０ビット×７４．２５ＭＨｚ＝１１．８８Ｇｂｐｓに変換される。この１１．８８Ｇｂｐｓのレートは、ステップＳ８０２において、１チャンネルあたりのＨＤ−ＳＤＩ信号のレートである１．４８５Ｇｂｐｓ（１１．８８Ｇｂｐｓ／８チャンネル）に相当する。つまり、ステップＳ８０１により、通信系における１チャンネルのＣＡＵＩ信号に対応した１０Ｇｂｐｓのレートが、放送系における８チャンネルのＨＤ−ＳＤＩ信号に対応した１１．８８Ｇｂｐｓ（１チャンネルあたり１．４８５Ｇｂｐｓ）のレートに変換される。
【００４４】
信号変換部２２は、ステップＳ８０１にて生成されたクロック７４．２５ＭＨｚの１６０ビットのパラレル信号を、クロック７４．２５ＭＨｚの２０ビット×８チャンネルのパラレル信号に変換する（ステップＳ８０２）。ここで、クロック７４．２５ＭＨｚの１６０ビットのパラレル信号は、７４．２５Ｍ×１６０＝７４．２５Ｍ×２０×８であるから、クロック７４．２５ＭＨｚを用いた場合、２０ビット×８チャンネルのパラレル信号に変換される。
【００４５】
図７に戻って、信号変換部２２は、ステップＳ６０３において生成されたクロック７４．２５ＭＨｚの２０ビット×８チャンネルのパラレル信号に対し、何らの処理を施すことなく同じパラレル信号をそのまま出力する（ステップＳ６０４）。そして、信号変換部２２は、クロック７４．２５ＭＨｚの２０ビット×８チャンネルのパラレル信号に対し、チャンネル毎に、１．４８５ＧｂｐｓのＨＤ−ＳＤＩ信号に変換し、合計８チャンネルのＨＤ−ＳＤＩ信号を出力する（ステップＳ６０５）。
【００４６】
以上、１チャンネルのシリアル信号を８チャンネルのＨＤ−ＳＤＩ信号に変換する１系統の処理について説明したが、この処理は、全ての系統（９系統）に適用がある。
【００４７】
以上のように、図１に示した放送用信号出力装置２によれば、光送受信モジュール２１が、放送用信号入力装置１から送信された１系統の光信号を受信し、１系統の光信号を９系統のシリアル信号を含む電気信号に変換し、信号変換部２２が、電気信号に含まれるシリアル信号から所定のヘッダー信号を削除しＬＮ等の信号を追加することで、系統毎に信号変換を行い、ＣＡＵＩの伝送レート（１０Ｇｂｐｓ）に合わせた１チャンネルのシリアル信号を、８チャンネルのＨＤ−ＳＤＩ信号（１チャンネルあたり１．４８５Ｇｂｐｓのレートを有する信号、８チャンネルあたり１１．８８Ｇｂｐｓのレートを有する信号）に変換し、１系統あたり８チャンネルのＨＤ−ＳＤＩ信号を有する合計９系統のＨＤ−ＳＤＩ信号を生成し、７２本のＨＤ−ＳＤＩ信号により構成されたＳＨＶ信号を出力するようにした。具体的には、信号変換部２２が、光送受信モジュール２１から１０Ｇｂｐｓのシリアル信号を９系統入力し、１系統あたり１チャンネルのシリアル信号（１０Ｇｂｐｓ）毎に、１０Ｇｂｐｓのシリアル信号をクロック１５６．２５ＭＨｚの６４ビットのパラレル信号に変換し、クロック６２．５ＭＨｚの１６０ビットのパラレル信号（８チャンネルあたり１０Ｇｂｐｓのレートを有する信号、１チャンネルあたり１．２５Ｇｂｐｓのレートを有する信号）に変換するようにした。そして、信号変換部２２が、クロック６２．５ＭＨｚの１６０ビットのパラレル信号から所定のヘッダー信号を削除しＬＮ、ＣＲ、水平ブランキング及び垂直ブランキングの信号を追加し、クロック７４．２５ＭＨｚの２０ビット×８チャンネルのパラレル信号を生成し、８チャンネルのＨＤ−ＳＤＩ信号（１チャンネルあたり１．４８５Ｇｂｐｓのレートを有する信号、８チャンネルあたり１１．８８Ｇｂｐｓのレートを有する信号）に変換するようにした。この場合、信号変換部２２は、光信号が変換されたシリアル信号から所定のヘッダー信号を削除してＬＮ等の信号を追加することにより、１チャンネルあたり１．２５Ｇｂｐｓの信号を、１．４８５ＧｂｐｓのＨＤ−ＳＤＩ信号に変換する。
【００４８】
これにより、放送用信号入力装置１から伝送されたＣＡＵＩの伝送レート（１０Ｇｂｐｓ）に合わせた１チャンネルのシリアル信号を、放送用信号である８チャンネルのＨＤ−ＳＤＩ信号（１チャンネルあたり１．４８５Ｇｂｐｓのレートを有する信号、８チャンネルあたり１１．８８Ｇｂｐｓのレートを有する信号）に変換することができる。したがって、通信分野において標準的に用いられている、１チャンネルあたり１０Ｇｂｐｓの信号を合計１０チャンネル伝送可能な高速インターフェイスであるＣＦＰのユニットを１台だけ用いることで、ＳＨＶ信号（７２チャンネルのＨＤ−ＳＤＩ信号）の伝送を実現することができる。また、従来技術では、ＳＨＶ信号を伝送するために、９台の１０Ｇｂｐｓの光信号伝送ユニットが必要であったのに対し、本発明の実施形態では１台の光信号伝送ユニット（ＣＦＰ）を用いれば済むから、放送用信号入力装置２全体で使用する電力量を半減以下にすることができる。
【００４９】
〔変形例／３ＧＳＤＩ信号の場合〕
図１〜図７では、放送用信号入力装置１が７２本のＨＤ−ＳＤＩ信号により構成されたＳＨＶ信号を入力し、放送用信号出力装置２が７２本のＨＤ−ＳＤＩ信号により構成されたＳＨＶ信号を出力する例を示した。変形例では、放送用信号入力装置１’が３６本の３ＧＳＤＩ信号により構成されたＳＨＶ信号を入力し、放送用信号出力装置２’が３６本の３ＧＳＤＩ信号により構成されたＳＨＶ信号を出力する。
【００５０】
図１を参照して、放送用信号入力装置１’は、信号変換部１１’及び光送受信モジュール１２を備えており、放送用信号であるＳＨＶ信号（３６本の３ＧＳＤＩ信号）を入力し、ＣＡＵＩの伝送レートに合わせたシリアル信号に変換し、シリアル信号の電気信号を光信号に変換し、１系統の光信号として光ファイバーケーブル３を介して放送用信号出力装置２’へ送信する。光送受信モジュール１２は、図１に示したものと同様である。信号変換部１１’は、例えばＦＰＧＡにより構成され、光送受信モジュール１２は、例えばＣＦＰのユニットにより構成される。尚、３６本の３ＧＳＤＩ信号及び１０本のシリアル信号（ＣＡＵＩ信号）を処理するためには、１個〜３個程度のＦＰＧＡが必要になる。また、１０本のシリアル信号及び１つ（１系統）の光信号を処理するためには、１台のＣＦＰのユニットが必要になる。
【００５１】
信号変換部１１’は、３６本の３ＧＳＤＩ信号により構成されたＳＨＶ信号を入力し、４本（４チャンネル）の３ＧＳＤＩ信号（２．９７Ｇｂｐｓ）を１系統として、系統毎に信号変換を行い、ＣＡＵＩの伝送レート（１０Ｇｂｐｓ）に合わせた１チャンネルのシリアル信号を生成し、合計９系統（９チャンネル）のシリアル信号を光送受信モジュール１２に出力する。
【００５２】
つまり、信号変換部１１’は、３６本の３ＧＳＤＩ信号により構成されたＳＨＶ信号を入力し、１本の３ＧＳＤＩ信号を２本のＨＤ−ＳＤＩ信号に変換することにより、４本の３ＧＳＤＩ信号を単位として８本のＨＤ−ＳＤＩ信号に変換し、合計３６本の３ＧＳＤＩ信号を合計７２本のＨＤ−ＳＤＩ信号に変換する。そして、信号変換部１１’は、図１及び図２に示した信号変換部１１と同様に、８本のＨＤ−ＳＤＩ信号を１系統として、系統毎に信号変換を行う。具体的には、信号変換部１１’は、図２のステップＳ２０１の処理の前に、ＳＨＶ信号のうちの４本（４チャンネル）の３ＧＳＤＩ信号を８チャンネルのＨＤ−ＳＤＩ信号に変換し、ステップＳ２０１〜ステップＳ２０５の処理を行う。
【００５３】
図９は、１チャンネルの３ＧＳＤＩ信号を２チャンネルのＨＤ−ＳＤＩ信号に変換する処理を説明する図である。ここで、３ＧＳＤＩ信号は、ＳＭＰＴＥ４２４Ｍ  ＬｅｖｅｌＢで規格化されている信号であり、ＨＤ−ＳＤＩ信号は、ＳＭＰＴＥ２９２で規格化されている信号であり、１チャンネルの３ＧＳＤＩ信号のデータストリームは、２チャンネルのＨＤ−ＳＤＩ信号のデータストリームに分解することができる。図９に示すように、信号変換部１１’は、１チャンネルの３ＧＳＤＩ信号のうちの（１）に示すデータを抽出し、１チャンネル目（１）のＨＤ−ＳＤＩ信号を生成し、１チャンネルの３ＧＳＤＩ信号のうちの（２）に示すデータを抽出し、２チャンネル目（２）のＨＤ−ＳＤＩ信号を生成する。このように、３ＧＳＤＩ信号の１０ビットデータストリームにおける１０ビット毎のデータが順番に抽出され、１チャンネル目（１）のＨＤ−ＳＤＩ信号及び２チャンネル目（２）のＨＤ−ＳＤＩ信号に変換される。つまり、２．９７Ｇｂｐｓのレートを有する３ＧＳＤＩ信号が、１チャンネルあたり１．４８５Ｇｂｐｓのレートを有する２チャンネルのＨＤ−ＳＤＩ信号に変換される。尚、ＨＤ−ＳＤＩ信号を８つ足し合わせると、１１．８８Ｇｂｐｓとなり、ＣＡＵＩの伝送レートである１０Ｇｂｐｓでは伝送することができない。そこで、信号変換部１１’は、ＨＤ−ＳＤＩ信号から所定の映像信号を抽出してデータを減らし、所定のヘッダー信号を追加することにより、ＣＡＵＩの伝送レートである１０Ｇｂｐｓに合わせた１チャンネルのシリアル信号を生成する。
【００５４】
これにより、信号変換部１１’において、１系統につき、４チャンネルの３ＧＳＤＩ信号（１チャンネルあたり２．９７Ｇｂｐｓのレートを有する信号、４チャンネルあたり１１．８８Ｇｂｐｓのレートを有する信号）が、８チャンネルのＨＤ−ＳＤＩ信号（１チャンネルあたり１．４８５Ｇｂｐｓのレートを有する信号、８チャンネルあたり１１．８８Ｇｂｐｓのレートを有する信号）に変換され、８チャンネルのＨＤ−ＳＤＩ信号が、ＣＡＵＩの伝送レート（１０Ｇｂｐｓ）に合わせた１チャンネルのシリアル信号に変換される。つまり、１系統につき、４チャンネルの３ＧＳＤＩ信号が、ＣＡＵＩの伝送レートに合わせた１チャンネルのシリアル信号に変換される。
【００５５】
尚、信号変換部１１’は、ステップＳ２０１の処理の前に、系統毎に、４チャンネルの３ＧＳＤＩ信号を８チャンネルのＨＤ−ＳＤＩ信号に変換し、ステップＳ２０１において、１チャンネルのＨＤ−ＳＤＩ信号を２０ビットのパラレル信号に変換し、クロック７４．２５ＭＨｚの２０ビット×８チャンネルのパラレル信号を生成するようにしたが、３ＧＳＤＩ信号からＨＤ−ＳＤＩ信号への変換を行うことなく、ステップＳ２０１の処理において、４チャンネルの３ＧＳＤＩ信号からクロック７４．２５ＭＨｚの２０ビット×８チャンネルの信号を直接生成するようにしてもよい。
【００５６】
また、図１を参照して、放送用信号出力装置２’は、光送受信モジュール２１及び信号変換部２２’を備えており、放送用信号入力装置１’から光ファイバーケーブル３を介して送信された１系統の光信号を受信し、光信号を電気信号に変換し、通信分野にて用いられるＣＡＵＩの伝送レートに合わせたシリアル信号をＳＨＶ信号に変換し、放送用信号であるＳＨＶ信号（３６本の３ＧＳＤＩ信号）を出力する。光送受信モジュール２１は、図１に示したものと同様である。光送受信モジュール２１は、例えばＣＦＰのユニットにより構成され、信号変換部２２’は、例えばＦＰＧＡにより構成される。尚、３６本の３ＧＳＤＩ信号及び１０本のシリアル信号（ＣＡＵＩ信号）を処理するためには、１個〜３個程度のＦＰＧＡが必要になる。また、１０本のシリアル信号及び１つ（１系統）の光信号を処理するためには、１台のＣＦＰのユニットが必要になる。
【００５７】
信号変換部２２’は、光送受信モジュール２１から、１系統（１チャンネル）あたり１０Ｇｂｐｓのシリアル信号であるＣＡＵＩ信号を合計９系統入力し、系統毎に信号変換を行い、１系統あたり８チャンネルのＨＤ−ＳＤＩ信号を生成し、１系統あたり８チャンネルのＨＤ−ＳＤＩ信号を４チャンネルの３ＧＳＤＩ信号に変換し、合計３６本の３ＧＳＤＩ信号により構成されたＳＨＶ信号を出力する。この場合、信号変換部２２’は、図１及び図７に示したように、８本（８チャンネル）のＨＤ−ＳＤＩ信号を１系統として、系統毎に変換を行い、図９に示した変換処理に対して逆の処理を行い、２チャンネルのＨＤ−ＳＤＩ信号を１チャンネルの３ＧＳＤＩに変換する。つまり、信号変換部２２’は、図７のステップＳ６０５の処理の後に、１系統あたり８チャンネルのＨＤ−ＳＤＩ信号を４チャンネルの３ＧＳＤＩ信号に変換して出力する。
【００５８】
これにより、信号変換部２２’において、１系統につき、ＣＡＵＩの伝送レート（１０Ｇｂｐｓ）に合わせた１チャンネルのシリアル信号が、８チャンネルのＨＤ−ＳＤＩ信号（１チャンネルあたり１．４８５Ｇｂｐｓのレートを有する信号、８チャンネルあたり１１．８８Ｇｂｐｓのレートを有する信号）に変換され、８チャンネルのＨＤ−ＳＤＩ信号が４チャンネルの３ＧＳＤＩ信号（１チャンネルあたり２．９７Ｇｂｐｓのレートを有する信号、４チャンネルあたり１１．８８Ｇｂｐｓのレートを有する信号）に変換される。つまり、１系統につき、ＣＡＵＩの伝送レートに合わせた１チャンネルのシリアル信号が、４チャンネルの３ＧＳＤＩ信号に変換される。
【００５９】
尚、信号変換部２２’は、ステップＳ６０５において、系統毎に、クロック７４．２５ＭＨｚの２０ビット×８チャンネルの信号から８チャンネルのＨＤ−ＳＤＩ信号を生成し、ステップＳ６０５の処理の後に、８チャンネルのＨＤ−ＳＤＩ信号を４チャンネルの３ＧＳＤＩ信号に変換するようにしたが、ＨＤ−ＳＤＩ信号から３ＧＳＤＩ信号への変換を行うことなく、ステップＳ６０５において、クロック７４．２５ＭＨｚの２０ビット×８チャンネルの信号から４チャンネルの３ＧＳＤＩ信号を直接生成するようにしてもよい。
【００６０】
以上のように、３６本の３ＧＳＤＩ信号により構成されたＳＨＶ信号を入力する放送用信号入力装置１’の信号変換部１１’によれば、３６本の３ＧＳＤＩ信号を７２本のＨＤ−ＳＤＩ信号に変換するようにした。これにより、７２本のＨＤ−ＳＤＩ信号により構成されたＳＨＶ信号を入力する放送用信号入力装置１と同様の処理を行うことで、放送用信号である４チャンネルの３ＧＳＤＩ信号を、ＣＡＵＩの伝送レートに合わせた１チャンネルのシリアル信号にて伝送することができる。つまり、放送用信号入力装置１’は、放送用信号入力装置１と同様に、ＣＦＰのユニットを１台だけ用いることで、ＳＨＶ信号（３６チャンネルの３ＧＳＤＩ信号）を伝送することができ、放送用信号入力装置１’全体で使用する電力量を半減以下にすることができる。
【００６１】
また、３６本の３ＧＳＤＩ信号により構成されたＳＨＶ信号を出力する放送用信号出力装置２’によれば、７２本のＨＤ−ＳＤＩ信号により構成されたＳＨＶ信号を入力する放送用信号入力装置１と同様の処理を行い、７２本のＨＤ−ＳＤＩ信号を３６本の３ＧＳＤＩ信号に変換するようにした。これにより、ＣＡＵＩの伝送レートに合わせた１チャンネルのシリアル信号が伝送された場合に、放送用信号である４チャンネルの３ＧＳＤＩ信号に変換することができる。つまり、放送用信号出力装置２’は、放送用信号出力装置２と同様に、ＣＦＰのユニットを１台だけ用いることで、ＳＨＶ信号（３６チャンネルの３ＧＳＤＩ信号）の伝送を実現することができ、放送用信号出力装置２’全体で使用する電力量を半減以下にすることができる。
【００６２】
以上、実施形態を挙げて本発明を説明したが、本発明は前記実施形態に限定されるものではなく、その技術思想を逸脱しない範囲で種々変形可能である。例えば、図１の放送用信号入力装置１及び放送用信号出力装置２、並びに変形例の放送用信号入力装置１’及び放送用信号出力装置２’では、光送受信モジュール１２，２１であるＣＦＰを用いて、９系統のＳＨＶ信号の映像信号を伝送する例を示したが、ＣＦＰは１０本（１０系統）の１０Ｇｂｐｓの信号を伝送できるから、残りの１本に音声信号を割り当てて伝送するようにしてもよい。具体的には、放送用信号入力装置１，１’の光送受信モジュール１２は、信号変換部１１，１１’から１チャンネルあたり１０Ｇｂｐｓのシリアル信号（映像信号）を合計９系統入力すると共に、別途の音声変換部から１チャンネルあたり１０Ｇｂｐｓのシリアル信号（音声信号）を１系統入力し、合計１０系統の電気信号を１系統の光信号に変換し、１本（１系統）の光信号として光ファイバーケーブル３を介して放送用信号出力装置２，２’へ送信する。また、放送用信号出力装置２，２’の光送受信モジュール２１は、放送用信号入力装置１,１’から送信された１系統の光信号を受信し、受信した光信号を電気信号に変換し、１チャンネルあたり１０Ｇｂｐｓのシリアル信号（映像信号）を９系統生成すると共に、１チャンネルあたり１０Ｇｂｐｓのシリアル信号（音声信号）を１系統生成し、９系統の映像信号を信号変換部２２，２２’に出力すると共に、１系統の音声信号を別途の音声変換部に出力する。これにより、図１及び変形例のシステムにて、９系統の映像信号及び１系統の音声信号を伝送することができる。
【符号の説明】
【００６３】
１，１’  放送用信号入力装置
２，２’  放送用信号出力装置
３  光ファイバーケーブル
１１，１１’，２２，２２’  信号変換部
１２，２１  光送受信モジュール
【図１】
2012235423.tif 000003
【図２】
2012235423.tif 000004
【図３】
2012235423.tif 000005
【図４】
2012235423.tif 000006
【図５】
2012235423.tif 000007
【図６】
2012235423.tif 000008
【図７】
2012235423.tif 000009
【図８】
2012235423.tif 000010
【図９】
2012235423.tif 000011